(57)【要約】【課題】従来、図書館利用者が図書を入手しようとする際、まず自分の利用館の蔵書情報を検索し利用館に蔵書のある場合は貸し出しを受け、利用館に蔵書のない場合は次に貸し出し協定締結館の蔵書情報を検索し貸し出し協定締結館から図書を取り寄せ、いずれにもない場合当該図書を在庫している書店を探し、自費で購入することで図書を入手していた。また、図書館運営者は蔵書情報のデータベースに加え自館の利用者が図書を検索するために必要な書誌情報のデータベースを保有・管理していた。そのため利用者は検索の作業を図書館や書店ごとに繰り返す必要があった。【解決手段】情報統合サーバーが、書誌情報サーバーから書誌情報を、複数の蔵書情報サーバーから蔵書情報をそれぞれ収集し、それらの情報を統合して表示することでこの問題を解決した。【選択図】図４
2009157541.tif 000002
【特許請求の範囲】
【請求項１】
図書館利用者が入手したい図書の情報をインターネットを通じ、検索する環境下において、情報統合サーバーが利用者端末からの検索要求を受けて該当書籍の書名・著者および編者名・出版社名等からなる書籍情報と購入可能店舗とその納期等からなる購入方法情報を書誌情報サーバーから取得する手段と、検索候補が複数あった際に前記情報統合サーバーが候補の中から１つの選択を利用者に要求する画面を送信する手段と、前記情報統合サーバーが利用者の指定した図書の所蔵館と貸出状態等からなる蔵書情報を複数の蔵書情報サーバーから取得する手段と、前記情報統合サーバーが前記書誌情報と前記蔵書情報と前記購入方法情報を統合した画面を利用者に送信する手段からなる蔵書情報横断的検索システム。
【発明の詳細な説明】
【技術分野】
【０００１】
この発明は、書誌情報を提供するサーバーと複数の蔵書情報を提供するサーバーから情報を収集し、利用しやすい形式で利用者に提供するシステムに関する。
【背景技術】
【０００２】
従来、図書館利用者が図書を入手しようとする際、まず自分の利用館の蔵書情報を検索し利用館に蔵書のある場合は貸し出しを受け、利用館に蔵書のない場合は次に貸し出し協定締結館の蔵書情報を検索し、蔵書のある場合は貸し出し協定締結館から図書を取り寄せ、いずれにもない場合当該図書を在庫している書店を探し、自費で購入することで図書を入手していた。また、図書館運営者は蔵書情報のデータベースに加え自館の利用者が図書を検索するために必要な書誌情報のデータベースを保有・管理していた。
【発明の開示】
【発明が解決しようとする課題】
【０００３】
従来の方法によれば、利用者は複数の蔵書検索システムから図書を検索する場合、システムごとに検索操作を行わなければならなかった。また、検索をした結果書籍が見つからなかった場合、購入するために再度インターネットショップサイトで検索を行う必要があった。そのため書籍の入手に至るまでの間に多大な手間がかかった。
【０００４】
また、図書館運営者は書誌情報を含めた蔵書情報を入力しなければならないため、データの登録作業や管理作業の手間がかかった
【０００５】
また、その結果、費用との兼ね合いで登録する書誌データの項目を選別しなければならない傾向が強く、利用者は充実した書誌情報を用いて検索を行うことが困難であった。
【０００６】
そこで、本発明は書誌情報を提供するサーバーと複数の蔵書情報を提供するサーバーから情報を収集し、利用しやすい形式で利用者に提供する情報統合サーバーを設置することで、利用者にとっては検索作業がしやすくなり、図書館運営者にとってはデータの管理が省力化できることを目指す。
【課題を解決するための手段】
【０００７】
以上の課題を解決するために、書誌情報サーバーから書誌情報を取得し、複数の蔵書情報サーバーから蔵書情報を取得し、書誌情報と初期設定時に選択した利用者の利用館または利用館と貸し出し協定を結んでいる図書館の蔵書情報、購入サイトの情報を統合して表示する、情報統合サーバーを開発することでこれらの問題を解決した。
【発明の効果】
【０００８】
本発明によれば、利用者は一度の検索で自らの利用館と、利用館と貸し出し協定を結んでいる図書館の蔵書情報、購入の際の販売店の情報を入手することができる。
【０００９】
また、利用者は書誌情報サーバーの保有する豊富な書誌情報を元に図書を検索できる。
【００１０】
また、図書館運営者は独自に書誌情報を登録する必要がなくなるため、情報の入力および保守が容易になる。
【発明を実施するための最良の形態】
【００１１】
図１は本発明の蔵書情報横断検索システム全体の構成図を示している。
利用者端末（１０１）はインターネット端末の機能を持つ。情報統合サーバー機（１０２）は情報統合サーバー機能を持つ。書誌情報サーバー機（１０３）は書誌情報サーバー機能を持つ。蔵書情報サーバー機１（１０４）および蔵書情報サーバー機２（１０５）は蔵書情報サーバー機能を持つ。利用者端末（１０１）と情報統合サーバー機（１０２）、インターネット店舗サーバー機（１０６）、情報統合サーバー機（１０２）と書誌情報サーバー機（１０３）、蔵書情報サーバー機１（１０４）、蔵書情報サーバー機２（１０５）、はそれぞれインターネット（１０７）を通じて接続されている。
【００１２】
図２を用いて利用者が蔵書の検索をする作業の一連の処理手順を説明する。
まず初めに、利用者は利用者端末（１０１）を用いて情報統合サーバー内の所定のページにアクセスする（２０１）。アクセスを受けた情報統合サーバーは検索項目入力画面を送信する（２０２）。次に利用者は図３の検索項目入力画面に入力を行い、情報統合サーバーに検索要求を送信する（２０３）。検索要求を受信した情報統合サーバーは受信した検索要求を元に、書誌情報サーバーに送信する検索要求を作成し、書誌情報サーバーに送信する（２０４）。検索要求を受信した書誌情報サーバーは情報統合サーバーに書名・著者および編者名・出版年・出版社・ISBN番号・EAN番号・出版年月日・出版地・ページ数・外形寸法・重量・資料種別・画像ファイルURLからなる書誌情報を送信する（２０５）。次に、情報統合サーバーは書誌情報を元に蔵書検索サーバー１に検索要求を送信する（２０６）。検索要求を受信した蔵書検索サーバー１は蔵書状況を情報統合サーバーに送信する（２０７）。次に、情報統合サーバーは書誌情報を元に蔵書検索サーバー２に検索要求を送信する（２０８）。検索要求を受信した蔵書検索サーバー２は蔵書状況を情報統合サーバーに送信する（２０９）。蔵書状況を取得すべきサーバーが他にあるときはこの２０６と２０７、または２０８と２０９の作業を取得すべきそれぞれのサーバーに対して行う。次に、情報統合サーバーは利用者端末に書誌情報および蔵書情報を送信する（２１０）。その際の表示方法は、該当する書籍が１つの場合は図４のように行い、該当する書籍が複数あった場合、簡易な情報を図５の画面でリスト表示し、利用者はその中から任意のものを選択し、図４の画面を表示させる。
【００１３】
「実施形態の効果」
この実施形態によれば、情報統合サーバーは一般の利用者が検索するのと同じ方法で検索要求を行い、検索結果を取得することで蔵書情報を取得できるため蔵書情報サーバーに特別の改造を加える必要がない。
【００１４】
「他の実施形態」
図1の構成図では各機器の接続にインターネットを用いていたが、他の有用な通信手段を用いても良い。
【図面の簡単な説明】
【００１５】
【図１】本発明の蔵書情報横断的検索システムの構成図である
【図２】本発明の蔵書情報横断的検索システムの処理手順である
【図３】利用者がシステムに検索要求を送信する際に使う画面の図である
【図４】システムが検索結果を表示する画面である
【図５】検索結果の候補が複数ある時に表示する画面である
【符号の説明】
【００１６】
１０１  利用者端末  
１０２  情報統合サーバー機
１０３  書誌情報サーバー機
１０４  蔵書情報サーバー機１
１０５  蔵書情報サーバー機２
１０６  インターネット店舗サーバー機
１０７  インターネット
２０１  利用者端末から検索条件入力画面へのアクセス
２０２  検索条件入力画面の送信
２０３  利用者端末から情報統合サーバーへの検索要求の送信
２０４  情報統合サーバーから書誌情報サーバーへの検索要求の送信
２０５  書誌情報サーバーから情報統合サーバーへの書誌情報の送信
２０６  情報統合サーバーから蔵書情報サーバー１への検索要求の送信
２０７  蔵書情報サーバー１から情報統合サーバーへの蔵書情報の送信
２０８  情報統合サーバーから蔵書情報サーバー２への検索要求の送信
２０９  蔵書情報サーバー２から情報統合サーバーへの蔵書情報の送信
２１０  情報統合サーバーから利用者端末への検索結果情報画面の送信
３０１  キーワード入力フォーム
３０２  書名入力フォーム
３０３  著者名入力フォーム
３０４  ISBN番号入力フォーム
３０５  出版年選択リストボックス
３０６  出版月選択リストボックス
３０７  期間指定選択ラジオボタン
３０８  出版社名入力フォーム
３０９  判型指定選択ラジオボタン
３１０  検索条件送信ボタン
４０１  書籍写真
４０２  提携インターネット店舗への画面遷移ボタン
４０３  全画面への画面遷移ボタン
５０１  書籍写真
５０２  図４画面への画面遷移ボタン
５０３  全画面への画面遷移ボタン
５０４  次ページへの画面遷移ボタン
【図１】
2009157541.tif 000003
【図２】
2009157541.tif 000004
【図３】
2009157541.tif 000005
【図４】
2009157541.tif 000006
【図５】
2009157541.tif 000007